(57)【要約】【課題】既存の電動工具にも簡単に吸塵機能を付与でき、汎用性に優れると共に、電動工具と吸塵装置とが確実に同時使用可能となって使い勝手も良好な電動工具用吸塵装置を提供する。【解決手段】振動ドリル４０等の電動工具に装着して使用され、商用電源で駆動する電動工具用吸塵装置１のハウジング２に、商用電源が供給され、振動ドリル４０のプラグ４７を差し込み可能な電力供給用ソケット３７を設けた。【選択図】図９
2010064199.tif 000002
【特許請求の範囲】
【請求項１】
電動工具に装着可能なハウジング内に、商用電源で駆動するモータと、そのモータの駆動で回転する吸込ファンと、前記吸込ファンの上流側に位置するフィルタとを備え、前記吸込ファンの回転に伴い、前記フィルタの上流側で前記ハウジングに接続したホース部材から外気を吸い込み、前記フィルタを通過させた後、前記ハウジングに設けた排気口から排出する電動工具用吸塵装置であって、
前記ハウジングに、前記商用電源が供給され、前記電動工具の電源プラグを差し込み可能な電力供給用ソケットを設けたことを特徴とする電動工具用吸塵装置。
【請求項２】
前記モータを、前記電力供給用ソケットからの商用電源の供給に連動して動作させることを特徴とする請求項１に記載の電動工具用吸塵装置。
【請求項３】
前記ハウジングに、前記電動工具への装着手段を設けたことを特徴とする請求項１又は２に記載の電動工具用吸塵装置。
【請求項４】
請求項１乃至３の何れかに記載の電動工具用吸塵装置を装着してなる電動工具。
【発明の詳細な説明】
【技術分野】
【０００１】
本発明は、ハンマードリル等の電動工具へ一体に装着して使用する電動工具用吸塵装置と、当該吸塵装置を装着した電動工具とに関する。
【背景技術】
【０００２】
電動工具に用いられる吸塵装置は、ハウジング内に、モータと、モータの駆動で回転する吸込ファンと、吸込ファンの上流側に位置するフィルタとを備え、フィルタの上流側でハウジングに、電動工具の先端工具際に導かれるホース部材を接続している。よって、モータの駆動に伴って吸込ファンが回転すると、ホース部材の先端から外気を吸い込んでハウジングに導き、フィルタを通過させてハウジングに設けた排気口から外部へ排出する。これにより、穿孔作業等で発生した粉塵等を外気と共に吸い込んでフィルタで吸塵することができる。
このような吸塵装置においては、モータの駆動に商用電源やバッテリ等の外部電源が利用されることが多い。例えば特許文献１では、携帯したバッテリに吸塵装置を接続して電源を得るようにしているが、特にここでは、吸塵装置の本体に接点対を設け、その接点対を介して本体と電動工具とを電気的接続させて、電動工具の電源も吸塵装置を介してバッテリから得るようになっている。
【０００３】
【特許文献１】特開２００２−３０７３３２号公報
【発明の開示】
【発明が解決しようとする課題】
【０００４】
このように、吸塵装置を接点対を介して電動工具と電気的接続させると、互いに相手側がないと使用できない専用品となり、当該吸塵装置を既存の電動工具に装着して使用することができない。従って、専用の電動工具を用意する必要が生じてコストがかさむことになる。そこで、接点対をなくして電動工具も商用電源から電源を得るようにすることが考えられるが、電動工具用と吸塵装置用と２口のコンセントが必要となり、現場に１口しかコンセントがない場合に対応できない。
【０００５】
そこで、本発明は、既存の電動工具にも簡単に吸塵機能を付与でき、汎用性に優れると共に、電動工具と吸塵装置とが確実に同時使用可能となって使い勝手も良好な電動工具用吸塵装置及び電動工具を提供することを目的としたものである。
【課題を解決するための手段】
【０００６】
上記目的を達成するために、請求項１に記載の発明は、電動工具用吸塵装置であって、ハウジングに、商用電源が供給され、電動工具の電源プラグを差し込み可能な電力供給用ソケットを設けたことを特徴とするものである。
請求項２に記載の発明は、請求項１の構成において、より使い勝手の向上を図るために、モータを、電力供給用ソケットからの商用電源の供給に連動して動作させることを特徴とするものである。
請求項３に記載の発明は、請求項１又は２の構成において、電動工具との同時使用により至便な構成とするために、ハウジングに、電動工具への装着手段を設けたことを特徴とするものである。
上記目的を達成するために、請求項４に記載の発明は、電動工具であって、請求項１乃至３の何れかに記載の電動工具用吸塵装置を装着したことを特徴とするものである。
【発明の効果】
【０００７】
請求項１及び４に記載の発明によれば、既存の電動工具にも簡単に吸塵機能を付与でき、汎用性に優れる。また、例えば現場に商用電源のコンセントが一口しかないような場合でも、電動工具と電動工具用吸塵装置とが確実に同時使用可能となり、使い勝手も良好となる。
請求項２に記載の発明によれば、請求項１の効果に加えて、電動工具の使用に合わせて電動工具用吸塵装置をいちいちＯＮ／ＯＦＦ操作する必要がなく、より使い勝手が良好となると共に、必要な場合にのみ電動工具用吸塵装置が運転するため、電気エネルギーの節約にも繋がる。
請求項３に記載の発明によれば、請求項１又は２の効果に加えて、電動工具への装着が簡単に行え、電動工具との同時使用に至便となる。
【発明を実施するための最良の形態】
【０００８】
以下、本発明の実施の形態を図面に基づいて説明する。
図１は、電動工具用吸塵装置（以下単に「吸塵装置」という。）の一例を示す側面図で、図２はその平面、図３は正面及び背面、図４はＡ−Ａ断面となっている。
吸塵装置１は、側面視がＬ字状となるハウジング２内の後方に駆動部３を、前方に集塵部４を夫々備えている。まず駆動部３には、出力軸６を前向きにしたモータ５と、コントローラ７とが収容され、出力軸６に固着された吸込ファン８が、駆動部３の前端に区画形成された収容室９内に配置されている。１０は、駆動部３と集塵部４とを仕切る仕切壁で、仕切壁１０には、吸込ファン８の中央に向けて開口する連通孔１１が設けられ、ハウジング２における収容室９の位置には、吸込ファン８の外周に沿って複数の排気口１２，１２・・が形成されている。
【０００９】
次に、集塵部４では、ダストボックス１３が下方からハウジング２内へ挿脱可能に収容され、そのダストボックス１３内に、フィルタ１４が、集塵部４を前後に仕切る格好で収容されている。
また、ハウジング２における集塵部４の上方側面には、吸込口１５が形成されてエルボ１６が嵌着され、エルボ１６に、フレキシブルホース１７とストレートホース１８とを介して筒状の吸塵ヘッド１９が接続されている。この吸塵ヘッド１９は、電動工具の前端に装着されたビットが貫通するリング２０を先端に備えて、リング２０から外気を吸い込み可能としたものである。これらのフレキシブルホース１７、ストレートホース１８、吸塵ヘッド１９が本発明のホース部材となる。さらに、ストレートホース１８の後端には、装着筒２１が外装されて、装着筒２１の下方に、電動工具のサイドハンドルに設けたストッパポール挿入部へ挿入可能な連結棒２２が保持されている。
【００１０】
２３は、駆動部３の上面と集塵部４の前後面との三箇所に夫々設けられる装着手段としてのアジャスタで、図５に示すように、四角形のスライド板２４の端部に、Ｖ字状のマウント２５を連結し、そのマウント２５の両端に、先端同士を任意の位置で結合可能な一対のベルト２６，２６の基端を夫々回転可能に設けたもので、三箇所共同じ構造となっているが、マウント２５は、駆動部３の上面のアジャスタ２３ではＶ字部分が後方を向くように、集塵部４の前面のアジャスタ２３ではＶ字部分が上方を向くように、集塵部４の後面のアジャスタ２３ではＶ字部分が後方を向くように夫々スライド板２４に連結されている。
【００１１】
スライド板２４は、ハウジング２の各面で左右両端に設けられた倒Ｌ字状のレール２７，２７に、スライド板２４の左右両端に設けた突条２８，２８を夫々嵌合させることで、駆動部３では前後に、集塵部４では上下に夫々スライド可能となっている。スライド板２４の内部には、図６に示すように、外端を連続山形状とした一対の爪２９，２９が、左右方向へスライド可能且つ両爪２９，２９間に設けられたコイルバネ３０，３０により、外端がスライド板２４から突出する方向へ付勢されて設けられている。各レール２７の内面には、突出する爪２９が係止する連続山形状の被係止部３１，３１が形成されている。
【００１２】
３２は、スライド板２４に形成されて各爪２９の上面に突設した四角形状の操作部３３を露出させる窓で、各操作部３３には、指による爪２９のスライドを容易にする凹部３４が形成されている。よって、凹部３４，３４を利用して爪２９，２９をコイルバネ３０，３０の付勢に抗して互いに近接させるようにスライドさせると、爪２９，２９が被係止部３１から離れるため、スライド板２４をレール２７に沿った任意の位置にスライドさせることができる。任意の位置で爪２９，２９から指を離すと、コイルバネ３０，３０の付勢によって外側へスライドした爪２９，２９が夫々被係止部３１に係止して、当該位置でスライド板２４が固定されることになる。
【００１３】
そして、駆動部３には、コントローラ７内のモータ駆動回路に電気的接続される電源コード３５が設けられて、ハウジング２の後面から引き出されると共に、電力供給用ソケット（以下単に「ソケット」という。）３７が設けられている。このソケット３７は、ハウジング２の背面から電動工具の電源プラグを差し込み可能とするもので、コントローラ７内のモータ駆動回路に並列接続されて、電源コード３５から得られる商用電源が供給可能となっている。
【００１４】
また、ハウジング２の後面には、ソケット３７に隣接して連動スイッチ３８が設けられている。この連動スイッチ３８は、吸塵装置１の単独運転と電動工具との連動運転とを切り替えるもので、コントローラ７のモータ駆動回路には、本件出願人の先願に係る特開２００８−３６７２３号公報に開示の構造と同様に、ソケット３７側への通電の有無を変流器を介して検出する電流検出部と、電流検出部での検出結果に基づいてモータ駆動回路に設けられた切替スイッチをＯＮ／ＯＦＦ動作させる制御部とが設けられている。
【００１５】
すなわち、連動スイッチ３８をＯＮにすると、制御部は切替スイッチをＯＦＦさせ、ソケット３７に接続した電動工具が使用されると、その通電を電流検出部が検出し、制御部が切替スイッチをＯＮさせてモータ５を駆動させる。また、連動スイッチをＯＦＦにすると、制御部は切替スイッチをＯＮさせて、モータ５のみを単独で駆動させる。
一方、電動工具を停止させると、その通電停止を電流検出部が検出することになるが、制御部は、通電停止から予め設定された所定時間（数秒間）だけ切替スイッチのＯＦＦを遅らせる遅延回路を有しており、電動工具が停止しても、モータ５が直ちに停止しないようになっている。
【００１６】
以上の如く構成された吸塵装置１においては、商用電源で駆動する既存の電動工具に装着できる。図７〜９は、電動工具の一例である振動ドリル４０に吸塵装置１を装着した状態を示すもので、この振動ドリル４０は、モータ及び回転／振動機構を内設するハウジング４１が倒Ｌ字状で、ハウジング４１の前端に、チャック４２が装着される一方、ハウジング４１の後端から下向きに形成されたハンドル４３の下端に、電源コード４４が設けられている。４５はハウジング４１の前端から横向きに装着されたサイドハンドルである。
【００１７】
この振動ドリル４０を、ハウジング４１の前端が吸塵装置１の集塵部４の上方に、ハンドル４３が駆動部３の後方に位置するように配し、集塵部４前面のアジャスタ２３のマウント２５にハウジング４１の前端を載置させる一方、駆動部３のアジャスタ２３のマウント２５にハンドル４３の前面を載置させて、夫々ベルト２６を巻回させてクランプする。そして、サイドハンドル４５の上部に設けたストッパポール挿入部４６に、装着筒２１に設けた連結棒２２を差し込んで装着筒２１を固定する。この状態で、ストレートホース１８が前方へ突出し、吸塵ヘッド１９のリング２０がチャック４２の前方に位置して吸塵装置１の装着は完了する。ここでは集塵部４後面のアジャスタ２３は使用しない。
そして、電源コード４４のプラグ４７を、駆動部３のソケット３７に差し込むと共に、吸塵装置１のプラグ３６を商用電源のコンセントに差し込む。
【００１８】
こうして吸塵装置１を装着し、連動スイッチ３８をＯＮにした状態で、チャック４２に装着したビットを吸塵ヘッド１９のリング２０に貫通させて振動ドリル４０のハンドル４３に設けたスイッチレバー４８をＯＮ操作すると、振動ドリル４０は吸塵装置１を介して商用電源から電源を得て動作することになる。このソケット３７からの電力供給をコントローラ７で検出すると、モータ５が駆動して吸込ファン８が回転する。すると、吸塵ヘッド１９から外気が吸い込まれて、ストレートホース１８及びフレキシブルホース１７を介して集塵部４に至り、フィルタ１４を通過して連通孔１１から収容室９に入り、排気口１２を通って外部へ排出される。これにより、ビット近傍で発生する粉塵等が外気と共に吸塵ヘッド１９に吸い込まれ、集塵部４に送られてフィルタ１４に捕捉され、ダストボックス１３内に貯留する。
【００１９】
振動ドリル４０を停止させると、ソケット３７からの電力供給が停止して吸塵装置１のモータ５も停止することになるが、前述した遅延回路によってモータ５は振動ドリル４０の停止から所定時間遅れて停止するため、フレキシブルホース１７等に残留した粉塵も集塵部４まで確実に吸塵される。
一方、連動スイッチ３８をＯＦＦにすると、モータ５は振動ドリル４０の使用不使用に関わらず駆動し、吸塵装置１は単独運転することになる。
【００２０】
このように、上記形態の吸塵装置１によれば、ハウジング２に、商用電源が供給され、振動ドリル４０のプラグ４７を差し込み可能なソケット３７を設けたことで、既存の振動ドリル４０にも簡単に吸塵機能を付与でき、汎用性に優れる。また、例えば現場に商用電源のコンセントが一口しかないような場合でも、振動ドリル４０と吸塵装置１とが確実に同時使用可能となり、使い勝手も良好となる。
【００２１】
また、ここでは、モータ５を、ソケット３７からの商用電源の供給に連動して動作させるようにしたことで、振動ドリル４０の使用に合わせて吸塵装置１をいちいちＯＮ／ＯＦＦ操作する必要がなく、より使い勝手が良好となると共に、必要な場合にのみ吸塵装置１が運転するため、電気エネルギーの節約にも繋がる。
さらに、ハウジング２に、アジャスタ２３を設けたことで、振動ドリル４０等の電動工具への装着が簡単に行え、電動工具との同時使用に至便となる。特にここでは、アジャスタ２３の位置をスライド調整可能としているため、電動工具の形態に合わせて適正な装着が可能となっている。
【００２２】
なお、吸塵装置において、モータの向きや吸込ファンやフィルタの位置等は上記形態に限らない。例えば吸込ファンをモータの出力軸に設けずに、出力軸から回転伝達される二番軸等に設けることもできる。ソケットや連動スイッチの位置も適宜変更可能である。
また、モータの電動工具との連動も、電動工具停止時の遅延時間は適宜増減可能であるし、遅延させずに略同時にモータを停止させることもできる。勿論連動させずに専用の運転スイッチを設けてＯＮ／ＯＦＦを任意に選択することも可能である。
【００２３】
さらに、装着手段も、アジャスタの数や位置は上記形態に限らないし、構造自体も、スライド調整をなくしてベルトをハウジングに直接設けたり、ベルトに代えて半割で開閉する一対のクランプ体としたり等、電動工具への装着が可能であれば適宜変更して差し支えない。但し、装着手段は吸塵装置に必ずしも付設する必要はなく、吸塵装置に載置した電動工具を吸塵装置と別体としたベルト等の装着手段によって一体化させることは勿論可能である。
【００２４】
そして、電動工具も、振動ドリルに限らず、ハンマードリルやドライバ等の他のタイプであっても吸塵装置の装着は可能である。例えばハウジングがＬ字形でなく、上向きのモータをハウジングの中央下方に収容するようなハンマードリルでは、ハンマードリルのハウジングを集塵部の上面に載置する格好で吸塵装置に装着すれば、安定した状態で一体化される。その他、吸塵装置のハウジング外面に電動工具側のハウジングが嵌合する凹部を形成することも考えられる。
【図面の簡単な説明】
【００２５】
【図１】吸塵装置の側面図である。
【図２】吸塵装置の平面図である。
【図３】（Ａ）は吸塵装置の正面図、（Ｂ）は背面図である。
【図４】Ａ−Ａ線断面図である。
【図５】アジャスタの説明図で、（Ａ）が正面、（Ｂ）が側面、（Ｃ）が底面を夫々示す。
【図６】Ｂ−Ｂ線断面図である。
【図７】振動ドリルに装着した吸塵装置の側面図である。
【図８】振動ドリルに装着した吸塵装置の平面図である。
【図９】振動ドリルに装着した吸塵装置の断面図である。
【符号の説明】
【００２６】
１・・電動工具用吸塵装置、２・・ハウジング、３・・駆動部、４・・集塵部、５・・モータ、６・・出力軸、７・・コントローラ、８・・吸込ファン、９・・収容室、１２・・排気口、１４・・フィルタ、１５・・吸込口、１７・・フレキシブルホース、１９・・吸塵ヘッド、２３・・アジャスタ、２４・・スライド板、２５・・マウント、２６・・ベルト、２９・・爪、３０・・コイルバネ、３１・・被係止部、３５・・電源コード、３６・・プラグ、３７・・電力供給用ソケット、３８・・連動スイッチ、４０・・振動ドリル、４１・・ハウジング、４３・・ハンドル、４４・・電源コード、４７・・プラグ。
【図１】
2010064199.tif 000003
【図２】
2010064199.tif 000004
【図３】
2010064199.tif 000005
【図４】
2010064199.tif 000006
【図５】
2010064199.tif 000007
【図６】
2010064199.tif 000008
【図７】
2010064199.tif 000009
【図８】
2010064199.tif 000010
【図９】
2010064199.tif 000011